(57)【要約】【課題】葬儀の場所を極力自由に設定でき、会葬者が少ない小規模な葬儀への対応が可能な葬儀施設を提供することを課題とする。【解決手段】開口部２ａを有し、この開口部を開閉する扉４が設けられた仮設型収納庫２内に、葬儀に用いられる葬儀用具３が設置されていることを特徴とする。【選択図】図１
0003232016.tif 000002
【実用新案登録請求の範囲】
【請求項１】
開口部を有し、この開口部を開閉する扉が設けられた仮設型収納庫内に、葬儀に用いられる葬儀用具が設置されていることを特徴とする葬儀施設。
【請求項２】
前記葬儀用具が分解可能に構成され、前記仮設型収納庫の内部に、分解された前記葬儀用具が収納される収納ボックスが形成されていることを特徴とする請求項１に記載の葬儀施設。
【考案の詳細な説明】
【技術分野】
【０００１】
本考案は、葬儀施設に係わり、特に、葬儀場所を自由に設定することの可能な葬儀施設に関する。
【背景技術】
【０００２】
従来の葬儀施設は、たとえば、特許文献１に示されるように、敷地内に固定構造物である建物を建築し、この建物内に、葬儀スペースや控えスペースを設けたものが殆どである。
【０００３】
このような葬儀施設は設置場所が限られていることから、故人や家族等にゆかりの地や思い出の地といった場所での葬儀が行なえない。
【０００４】
また、会葬者が多い場合等には適しているが、核家族化等により、小規模なお葬式を要望する傾向があり、このような会葬者が少ない場合には設備が大きすぎて無駄が多いといった改善すべき問題点が残されている。
【先行技術文献】
【特許文献】
【０００５】
【特許文献１】実用新案登録第３１８０７０１号公報
【考案の概要】
【考案が解決しようとする課題】
【０００６】
本考案は、前述した従来の技術において残されている問題点に鑑みてなされたもので、葬儀の場所を極力自由に設定でき、会葬者が少ない小規模な葬儀への対応が可能な葬儀施設を提供することを解決すべき課題とする。
【課題を解決するための手段】
【０００７】
本考案の葬儀施設は、前述した課題を解決するために、開口部を有し、この開口部を開閉する扉が設けられた仮設型収納庫内に、葬儀に用いられる葬儀用具が設置されていることを特徴とする。
【０００８】
このような構成とすることにより、前記仮設型収納庫を指定された場所に設置した後に、扉を開放してその内部に祭壇等の葬儀用具を設置して葬儀の準備を行なう。
【０００９】
会葬者は、前述した準備が終了するまで、葬儀施設の回りで待機し、焼香が始まると仮設型収納庫へ入り焼香を行なう。
【００１０】
そして、葬儀が終了した後は、葬儀用具を片付けて仮設型収納庫内に収納状態に保持し、さらに、扉を閉じて収納されている葬儀用具を保護する。
【００１１】
ここで、葬儀に必要な用具は、仮設型収納庫内の空間部内に集約して設置され、また、会葬者は、仮設型収納庫周りの空きスペースで待機することから、葬儀を行なうスペースが小さくて済む。
【００１２】
したがって、葬儀スペースを、会葬者が少ない葬儀に適した大きさとすることができる。
【００１３】
また、仮設型収納庫は設置場所に仮置きして使用されることから、必要に応じて、たとえば、トレーラーに積載して、待機ヤードや他の葬儀場所へ移設することができる。
【００１４】
この結果、葬儀の場所を、自宅近くや故人のゆかりの地等、自由に設定することができる。
【００１５】
また、前記葬儀用具を分解可能に構成し、仮設型収納庫の内部に、分解された葬儀用具を収納する収納ボックスを形成した構成とすることができる。
【００１６】
このような構成とすることにより、葬儀を終えた際に、葬儀用具を分解して収納ボックスに収納して、仮設型収納庫の内部を大きく開放することができる。
【００１７】
大きく開放された仮設型収納庫の内部空間は、たとえば、会葬者のための椅子やテーブル等、葬儀に必要な他の用具の収納に用いることができる。
【考案の効果】
【００１８】
本考案によれば、葬儀の場所を極力自由に設定でき、会葬者が少ない小規模な葬儀への対応が可能な葬儀施設を提供することができる。
【図面の簡単な説明】
【００１９】
【図１】本考案の一実施形態を示すもので、開放した状態の仮設型収納庫の正面図である。
【図２】本考案の一実施形態を示すもので、仮設型収納庫の移設方法の一例を示す図である。
【考案を実施するための形態】
【００２０】
以下、本考案の一実施形態を、図面を参照して説明する。
これらの図において、符号１は本実施形態の葬儀施設を示す。
【００２１】
本実施形態の葬儀施設１は、前面に開口部２ａを有し内部に葬儀空間Ｓが形成された仮設型収納庫２と、この葬儀空間Ｓ内に設置される葬儀用具３と、開口部２ａを開閉する扉４によって構成されている。
【００２２】
前記仮設型収納庫２は、たとえば、コンテナ等が用いられ、その内部に大容量の葬儀空間Ｓが形成されている。
【００２３】
この葬儀空間Ｓは、その開口部２ａが仮設型収納庫２の側面のほぼ全面を開放するように形成されている。
【００２４】
そして、開口部２ａは、仮設型収納庫２の、開口部２ａの両側部に設けられたヒンジ５に回動可能に装着された一対の扉４によって開閉されるようになっている。
【００２５】
前記葬儀用具３は、祭壇や蝋燭立てや花瓶等多種あり、特に、大型の祭壇等は組み立てて使用するように、多数の構成部材によって構成され、収納時には分解できるようになっている。
【００２６】
さらに、仮設型収納庫２の内部には、分解された葬儀用具３が収納される収納ボックス６が仮設型収納庫２の内壁に沿って形成されている。
【００２７】
このように構成された本実施形態に係わる葬儀施設１によれば、仮設型収納庫２を指定された場所へ移動させて設置した後に、収納ボックス６から必要部材を取り出して葬儀空間Ｓ内に祭壇等の葬儀用具３を配置することにより、指定された場所に設置して葬儀を行なうことができる。
【００２８】
したがって、葬儀の場所を、自宅近くや故人のゆかりの地等、自由に設定することができる。
【００２９】
また、葬儀施設１に必要な用具を、仮設型収納庫２に形成されている葬儀空間Ｓに集約することができ、また、会葬者を仮設型収納庫２の周りに待機させることができる。
【００３０】
これによって葬儀施設１を含め狭いスペースでの葬儀が可能となり、小規模な葬儀を可能とする。
【００３１】
葬儀を終えた後は、葬儀用具３を必要に応じて分解して収納ボックス６内へ格納することにより、葬儀空間Ｓを大きく開放することができる。
【００３２】
大きく開放された葬儀空間Ｓは、たとえば、会葬者のための椅子やテーブル等、葬儀に必要な他の用具の収納に用いることができる。
【００３３】
このように葬儀用具３を収納した後は、仮設型収納庫２の開口部２ａを扉４によって閉じて葬儀の後処理を行なう。
【００３４】
このような後処理を終えた葬儀施設１は、設置場所が決まっている場合にはそのままにし、異なる葬儀場所や待機ヤード等へ移動させる必要がある場合には、図２に示すように、葬儀施設１をフォークリフト７等によって搬送車両８に乗せて、待機ヤードや次の葬儀場所へ搬送する。
【００３５】
なお、前記実施形態において示した各構成部材の諸形状や寸法、あるいは、使用方法等は一例であって設計要求等に基づき種々変更可能である。
たとえば、前記収納ボックス６に遺骨を収納しておくことも可能である。
【符号の説明】
【００３６】
１  葬儀施設
２  仮設型収納庫
２ａ  開口部
３  葬儀用具
４  扉
５  ヒンジ
６  収納ボックス
Ｓ  葬儀空間
【図１】
0003232016.tif 000003
【図２】
0003232016.tif 000004